(57)【要約】【課題】汎用の電子メールサーバをそのまま流用して、自動的に電子メールの転送や電子メール有無確認を可能とする通信装置と連動する電子メールアダプタを提供することにある。【解決手段】電子メールアダプタ１００と繋がる通信装置２００が電子メールサーバ３００にアクセス出来る状態ではないことを電子メールアダプタ１００が検知した場合に、電子メールアダプタ１００は、電子メールサーバ３００に定期的または非定期にアクセスして前記通信装置２００宛の電子メールを取得し、所定の宛先に前記通信装置２００宛の電子メールを転送する。【選択図】    図１
2011013805.tif 000002
【特許請求の範囲】
【請求項１】
電子メール通信が可能な通信装置と連動する電子メールアダプタであって、
自アダプタと繋がる前記通信装置が所定の電子メールサーバにアクセス出来る状態であるか否かを検知する通信装置状態検知手段と、
前記電子メールサーバにアクセスして前記通信装置宛の電子メールが有るか否かを確認する電子メール有確認手段と、
所定の宛先に電子メールが有るか否かに係る情報を通知処理するまたは前記電子メールサーバから前記通信装置宛ての電子メールをダウンロードして転送処理する電子メール処理手段と、を有し、
前記通信装置状態検知手段が前記通信装置は電子メールサーバにアクセス出来る状態ではないことを検知した場合に、前記電子メール有確認手段は前記通信装置と関連付けられた電子メールサーバに定期的または非定期にアクセスして前記通信装置宛の電子メールが有るか否かを確認し、
前記通信装置宛の電子メールが有ったならば、前記電子メール処理手段は前記通信装置と関連付けられた所定の宛先に前記通信装置宛の電子メールが有るか否かに係る情報を通知するまたは前記電子メールサーバからダウンロードした前記通信装置宛の電子メールを転送することを特徴とする通信装置と連動する電子メールアダプタ。
【請求項２】
請求項1に記載の電子メールアダプタにおいて、
前記電子メール有確認手段は、
前記通信装置が電子メール受信時に使用するユーザ名とパスワードを保持し、前記ユーザ名とパスワードを前記電子メールサーバへ送信して前記通信装置宛の電子メールの有無を確認することを特徴とする通信装置と連動する電子メールアダプタ。
【請求項３】
請求項1または２に記載の電子メールアダプタにおいて、
前記通信装置状態検知手段が前記通信装置の状態の変化を検知した場合に、当該検知した状態に係る情報を前記通信装置の状態を管理する状態管理サーバに通知することを特徴とする通信装置と連動する電子メールアダプタ。
【発明の詳細な説明】
【技術分野】
【０００１】
本発明は、電子メールサーバから通信装置宛（パソコン等）に届く電子メールを自動有無確認・自動転送する電子メールアダプタに関する。
【背景技術】
【０００２】
従来、外出先で電子メールの送受信や電子メール有無確認をする場合は、携帯電話等の通信端末から電話回線を経由して、遠隔地にある電子メールサーバにダイヤルアップ接続している。このため、遠隔地にある電子メールサーバにダイヤルアップ接続を実現するための設備が必要なことに加え、出先から定期的に電子メールの有無を確認するのが面倒であるという問題があった。
【０００３】
この問題を解決する技術として、ＩＣカードを利用してユーザの位置情報を検知し、電子メールの転送先を切替える技術がある（例えば、特許文献１）。
【先行技術文献】
【特許文献】
【０００４】
【特許文献１】（特許文献1）特開２００８−２０４１２４号公報
【発明の概要】
【発明が解決しようとする課題】
【０００５】
しかし、特許文献１に記載された技術では特殊な電子メール管理サーバが必要であり、汎用性に乏しいという欠点があった。
【０００６】
そこで、本発明の課題は、汎用の電子メールサーバをそのまま流用して、自動的に電子メールの転送や電子メール有無確認を可能とする通信装置と連動する電子メールアダプタを提供することにある。
【課題を解決するための手段】
【０００７】
本発明の通信装置と連動する電子メールアダプタは、電子メール通信が可能な通信装置と連動する電子メールアダプタであって、自アダプタと繋がる前記通信装置が所定の電子メールサーバにアクセス出来る状態であるか否かを検知する通信装置状態検知手段と、前記電子メールサーバにアクセスして前記通信装置宛ての電子メールが有るか否かを確認する電子メール有確認手段と、所定の宛先に電子メールが有るか否かに係る情報を通知処理するまたは前記電子メールサーバから前記通信装置宛ての電子メールをダウンロードして転送処理する電子メール処理手段と、を有し、前記通信装置状態検知手段が前記通信装置は電子メールサーバにアクセス出来る状態ではないことを検知した場合に、前記電子メール有確認手段は前記通信装置と関連付けられた電子メールサーバに定期的または非定期にアクセスして前記通信装置宛の電子メールが有るか否かを確認し、前記通信装置宛の電子メールが有ったならば、前記電子メール処理手段は前記通信装置と関連付けられた所定の宛先に前記通信装置宛の電子メールが有るか否かに係る情報を通知するまたは前記電子メールサーバからダウンロードした前記通信装置宛の電子メールを転送することを特徴とする。
【０００８】
また、前記電子メール有確認手段は、前記通信装置が電子メール受信時に使用するユーザ名とパスワードを保持し、前記ユーザ名とパスワードを前記電子メールサーバへ送信して前記通信装置宛の電子メールの有無を確認することを特徴とする。
また、前記通信装置状態検知手段が前記通信装置の状態の変化を検知した場合に、当該検知した状態に係る情報を前記通信装置の状態を管理する状態管理サーバに通知することを特徴とする。
【発明の効果】
【０００９】
本発明によれば、汎用の電子メールサーバをそのまま流用して自動的に電子メールの転送や電子メール有無確認を可能とする通信装置と連動する電子メールアダプタを提供することができる。
【図面の簡単な説明】
【００１０】
【図１】全体の構成図である。
【図２】電子メールアダプタの機能ブロック図である。
【図３】電子メールアダプタの動作を説明するフローチャートである。
【発明を実施するための形態】
【００１１】
以下、本発明の実施の形態について、社内の通信装置宛の電子メールを社外の携帯端末へ自動転送する場合を例に図を用いて説明する。
図１は、本発明による社内の通信装置宛の電子メールを社外の携帯端末へ自動転送する全体構成を説明する図である。図２は、本発明の電子メールアダプタの機能ブロック図である。図３は、電子メールアダプタの動作を説明するフローチャートである。
図１は、社内に設置してある電子メールアダプタ１００と通信装置２００とＬＡＮ７００を経由し接続してある電子メールサーバ３００と状態管理サーバ４００とＧＷ（ゲートウェイ）６００と社外にあるＷＡＮ８００と携帯端末９００の接続を示している。
電子メールアダプタ１００は、通信装置２００の電源ＯＦＦまたは電子メール３００からのログオフを検知した場合、通信装置２００の代理として、電子メールサーバ３００に対して、通信装置２００宛の電子メールが届いていないか、問い合わせる。問い合わせの結果、通信装置２００宛の電子メールが有る場合、その電子メール(本文と添付ファイルの全て)を取得し、蓄積する。
【００１２】
電子メールアダプタ１００は、ＬＡＮ７００、ＧＷ６００、ＷＡＮ８００を経由し、予め設定されている電子メール転送先である携帯端末９００へ通信装置２００宛の電子メールが有ることを通知又は、電子メールアダプタ１００において受信した通信装置２００宛の電子メールを自動転送する。
【００１３】
電子メールアダプタ１００は、通信装置２００が電子メールサーバ３００にアクセス出来る状態であるか、アクセス出来ない状態であるかを検知した場合、検知した状態に係る情報を状態管理サーバ４００へ通知する。
【００１４】
電子メールアダプタ１００の詳細動作については、フローチャートを用いて後で説明する。
【００１５】
通信装置２００は、ＰＣその他、電子メール通信機能を有する通信装置の総称であって、ＰＣに限定しない。
【００１６】
電子メールサーバ３００は、ＬＡＮ７００、ＧＷ６００を経由しＷＡＮ８００と常に接続されており、通信装置２００が送受信する電子メールを制御管理する。電子メールサーバ３００は、図１において、ＬＡＮ７００に接続しているが、ＷＡＮ８００に接続した構成でも良い。
【００１７】
状態管理サーバ４００は、通信装置２００が電子メールサーバ３００にアクセス出来る状態であるか、アクセス出来ない状態であるか、すなわち通信装置２００の電源がＯＮであるかＯＦＦであるか、通信装置２００が電子メールサーバ３００にログオンしているかログオフしているかを管理する。
【００１８】
ＧＷ６００は、ゲートウェイであり、ＬＡＮ７００とＷＡＮ８００間の通信を可能にする。
【００１９】
ＬＡＮ７００は、（Ｌｏｃａｌ  Ａｒｅａ  Ｎｅｔｗｏｒｋ）であり、サーバや通信端末等を接続し、データのやりとりを可能にする。
【００２０】
ＷＡＮ８００は、（Ｗｉｄｅ  Ａｒｅａ  Ｎｅｔｗｏｒｋ）であり、電話回線や専用線で離れた場所にあるコンピュータ等を接続し、データのやりとりを可能にする。
【００２１】
携帯端末９００は、通信装置２００が社内に据え置かれている通信端末であることに対して、社外で使用者が携帯し使用できる通信端末であって、携帯電話に限定しない。また、携帯端末９００は、自宅に据え置かれているパソコン等でも良い。ＷＡＮ８００と携帯端末９００間は、非モバイルでも良い。
【００２２】
電子メール利用者は社内において、通信装置２００を使用し電子メールを送受信する。
【００２３】
電子メール利用者は社内から社外へ移動する場合、通信装置２００の電源をＯＦＦまたは電子メールサーバ３００からログオフして、社外において、携帯端末９００を使用し電子メールを送受信する。
【００２４】
図２は、本発明の電子メールアダプタ１００の機能ブロック図である。１０１は、ＬＡＮインターフェース部、１０２は電子メール有通知部、１０３は電子メール転送処理部、１０４は通信装置状態検知部、１０５は制御部、１０６は管理テーブル、１０７は通信装置インターフェース部、１０８は表示部、１０９は代理通信部、１１０は代理受信メール蓄積部である。
【００２５】
電子メールアダプタ１００が電源ＯＦＦの場合は、ＬＡＮ７００と通信装置２００は、ＬＡＮインターフェース部１０１と通信装置インターフェース部１０７を経由して直結する。
【００２６】
通信装置２００が電子メールサーバ３００にログイン状態である場合は、ＬＡＮ７００と通信装置２００が通信出来るように、ＬＡＮインターフェース部１０１と通信装置インターフェース部１０７が直結し通信出来るように制御部１０５が制御する。
【００２７】
電子メール有通知部１０２は、制御部１０５により起動されて指定されたアドレスの携帯端末９００へ電子メール有を通知する。
【００２８】
電子メール転送処理部１０３は、制御部１０５により起動されて通信装置２００宛の電子メールを蓄積してある代理受信メール蓄積部１１０から前記通信装置２００宛の電子メールを取り出し、指定されたアドレスの携帯端末９００へ電子メールを転送する。
【００２９】
通信装置状態検知部１０４は、PING（Ｐａｃｋｅｔ  Ｉｎｔｅｒｎｅｔ  Ｇｒｏｐｅｒ）コマンドを通信装置インターフェース部１０７を経由して通信装置２００へ送信し、一定時間内に応答が返らなかった場合に、通信装置２００が電源ＯＦＦしていると判定し、その結果を制御部１０５へ通知する。
【００３０】
制御部１０５は、電子メールアダプタ１００の各部を制御する。
【００３１】
管理テーブル１０６は、通信装置２００のＩＰアドレス、通信装置２００において電子メール受信する際に電子メールサーバ３００へ送信するユーザ名とパスワード、電子メールサーバ３００のＩＰアドレス、電子メールの転送先である携帯端末９００のＩＰアドレスを関連付けて管理保存する。各ＩＰアドレス、前記ユーザ名とパスワードの設定は、通信装置２００から設定出来る。
【００３２】
通信装置インターフェース部１０７は、LANポートやUSBポート等である。
【００３３】
表示部１０８は、制御部１０５により起動されて、通信装置２００宛の電子メールが電子メールアダプタ１００内の代理受信メール蓄積部１１０に残留している旨を表示する。
【００３４】
代理通信部１０９は、通信装置２００が電源ＯＦＦ又は電子メールサーバ３００からログオフしている場合に、電子メールアダプタ１００が通信装置２００の代わりに電子メールの送受信をするために、電子メールサーバ３００に対してログイン／ログオフの通信プロトコルを実行し、通信装置２００宛の電子メールを代理受信メール蓄積部１１０へダウンロードする。
【００３５】
代理受信メール蓄積部１１０は、代理通信部１０９が電子メールサーバ３００から受信する通信装置２００宛の電子メールを制御部１０５を介して蓄積する。
代理受信メール蓄積部１１０は、USBメモリ等のリムーバブルなメモリであっても良い。
【００３６】
図３を参照し、電子メールアダプタ１００の処理の流れを説明する。
【００３７】
電子メールアダプタ１００が電子メールサーバ３００に対して、１．通信装置２００の代理通信を開始していない場合、２．代理通信を開始する場合、３．代理通信を終了する場合の順に、処理の流れを説明する。
【００３８】
電子メールアダプタ１００が電子メールサーバ３００に対して、通信装置２００の代理通信を開始していない場合について説明する。電子メールアダプタ１００が電源ONの状態において、通信装置２００から電子メールサーバ３００へのログオンコマンドが送信されているか否かを監視する処理を起動する（Ｓ３０１）。前記監視処理は、前記電子メールアダプタ１００が電源ＯＮ状態の場合、常に起動している。電子メールアダプタ１００内の通信装置状態検知部１０４は、通信装置２００が電源ＯＮであるかＯＦＦであるかを検知するために、通信装置インターフェース部１０７経由でＰＩＮＧコマンドを通信装置２００へ送信する（Ｓ３０２）。前記通信装置２００からＲＥＰＬＹが返送されるかどうかを例えば５００ミリ秒間監視し、前記監視期間内に前記通信装置２００からＲＥＰＬＹが有る場合（Ｓ３０３，ＹＥＳ）、電子メールアダプタ１００は、代理通信部１０９において、通信装置２００が電子メールサーバ３００へログオンしているか否かの判別の元となるログオンコマンドを受信済みであるか否かを検知し、ログオン状態で有る場合（Ｓ３１０，ＹＥＳ）、前記通信装置２００の状態を管理している状態管理サーバ４００に対して前記通信装置２００が「電源オン」であり、電子メールサーバ３００に対して「ログオン」であることを通知する（Ｓ３１５）。電子メールアダプタ１００が電子メールサーバ３００へログオン中では無い場合（Ｓ３１２，ＮＯ）、タイムウェイト（Ｓ３１６）後、再度、電子メールアダプタ１００内の通信装置状態検知部１０４は、通信装置２００が電源ＯＮであるかＯＦＦであるかを検知するために、通信装置インターフェース部１０７経由でＰＩＮＧコマンドを通信装置２００へ送信する（Ｓ３０２）処理を繰り返す。
【００３９】
タイムウェイト（Ｓ３１６）の値は、通信装置２００から設定出来る。例えば、タイムウェイトの値を５分に設定した場合、電子メールアダプタ１００は、５分毎に通信装置２００の状態を検知し、前記状態により、通信装置２００の代理通信を開始／停止を切り替えることが出来る。
【００４０】
次に、電子メールアダプタ１００が電子メールサーバ３００に対して、通信装置２００の代理通信を開始する場合について説明する。電子メールアダプタ１００は、通信装置２００へＰＩＮＧコマンドを送信する（Ｓ３０２）。前記通信装置２００からＲＥＰＬＹが返送されるかどうかを例えば５００ミリ秒間監視し、前記監視期間内に前記通信装置２００からＲＥＰＬＹが無い場合（Ｓ３０３，ＮＯ）、電子メールアダプタ１００は、前記通信装置２００の状態を管理している状態管理サーバ４００に前記通信装置２００が「電源オフ」であることを通知する（Ｓ３０４）。前記電子メールアダプタ１００内の代理通信部１０９は、管理テーブル１０６に管理保存しているユーザ名とパスワードを使用して代理通信機能を起動し（Ｓ３０５）、電子メールサーバ３００にログオンする（Ｓ３０６）。電子メールサーバ３００内に、通信装置２００宛の受信メールが有る場合（Ｓ３０７，ＹＥＳ）、前記電子メールアダプタ１００は、前記電子メールサーバ３００内の前記受信メールをＬＡＮ７００、ＬＡＮインターフェース部１０１、代理通信部１０９を経由し、代理受信メール蓄積部１１０にダウンロードし、蓄積する（Ｓ３０８）。ダウンロードした前記受信メールを、管理テーブル１０６に管理保存している「電子メールの転送先である携帯端末のＩＰアドレス」へ転送または電子メールアダプタ１００内に通信装置２００宛の電子メールを蓄積していることを通知する（Ｓ３０９）。
【００４１】
電子メールサーバ３００内に、通信装置２００宛の受信メールが無い場合（Ｓ３０７，ＮＯ）、電子メールアダプタ１００は、電子メールサーバ３００からログオフし（Ｓ３１３）、代理通信機能を停止する（Ｓ３１４）。
【００４２】
次に、電子メールアダプタ１００が電子メールサーバ３００に対して、通信装置２００の代理通信を終了する場合について説明する。通信装置２００の電源がオフからオンに変わった場合において、電子メールアダプタ１００が電子メールサーバ３００に対して、通信装置２００の代理通信を停止する場合、電子メールアダプタ１００内の通信装置状態検知部１０４は、通信装置２００が電源ＯＮであるかＯＦＦであるかを検知するために、通信装置インターフェース部１０７経由でＰＩＮＧコマンドを通信装置２００へ送信する（Ｓ３０２）。前記通信装置２００からＲＥＰＬＹが有る場合（Ｓ３０３，ＹＥＳ）、電子メールアダプタ１００は、代理通信部１０９において、通信装置２００が電子メールサーバ３００へログオンしているか否かの判別の元となるログオンコマンドを受信済みであるか否かを検知し、ログオンコマンドを受信済みで無い場合、すなわちログオン状態で無い場合（Ｓ３１０，ＮＯ）、前記通信装置２００の状態を管理している状態管理サーバ４００に対して前記通信装置２００が「電源オン」であり、電子メールサーバ３００に対して「ログオフ」であることを通知する（Ｓ３１１）。
【００４３】
電子メールアダプタ１００が電子メールサーバ３００へログオン中の場合（Ｓ３１２，ＹＥＳ）、電子メールアダプタ１００は、電子メールサーバ３００からログオフし（Ｓ３１３）、代理通信機能を停止する（Ｓ３１４）。
【００４４】
ところで、電子メールアダプタ１００は、通信装置状態検知部１０４において、通信装置２００と電子メールサーバ３００間の通信（通信装置２００から電子メールサーバ３００へユーザ名とパスワードが送信され、前記電子メールサーバ３００から通信装置２００へ認証ＯＫが送信される。通信装置２００から電子メールサーバ３００へ、ＱＵＩＴが送信され、前記電子メールサーバ３００から通信装置２００へログオフＯＫが送信される。）を監視し、通信装置２００が電子メールサーバ３００へログオンしているか、ログオフしているかの状態を検知することが出来る。電子メールアダプタ１００は、前記検知結果（ログオン／ログオフ）により、前記通信装置２００の使用者の在不在を検知し、前記検知結果を状態管理サーバ４００へ通知する。
【００４５】
なお、本発明の電子メールアダプタ１００は、単体アダプタでもよいし、電話機、無線ＡＰ、ハブ、ルータ等と一体化してもよい。
【符号の説明】
【００４６】
１００：電子メールアダプタ、
１０１：ＬＡＮインターフェース部、
１０２：電子メール有通知部、
１０３：電子メール転送処理部、
１０４：通信装置状態検知部、
１０５：制御部、
１０６：管理テーブル、
１０７：通信装置インターフェース部、
１０８：表示部、
１０９：代理通信部、
２００：通信装置、
３００：電子メールサーバ、
４００：状態管理サーバ、
６００：ＧＷ（ゲートウェイ）、
７００：ＬＡＮ、
８００：ＷＡＮ、
９００：携帯端末
【図１】
2011013805.tif 000003
【図２】
2011013805.tif 000004
【図３】
2011013805.tif 000005